(57)【要約】【課題】  安価で、特殊な器具を用いることなく容易に観察可能であると共に、複写可能であって、視認性を調整し、近距離からは的確に観察可能であって、遠距離からの盗み見は困難である、又は、近距離であっても一見では盗み見を困難にする文字列が形成される文字列形成体を提供する。【解決手段】  基材に文字列Ｌが形成された文字列形成体であって、文字列のうち少なくとも一部の文字を他の文字とは異なるデザインとすることを特徴とする。【選択図】図１
2016215510.tif 000002
【特許請求の範囲】
【請求項１】
基材に文字列が形成された文字列形成体であって、
前記文字列のうち少なくとも一部の文字を他の文字とは異なるデザインとする
ことを特徴とする文字列形成体。
【請求項２】
基材に文字列が形成された文字列形成体であって、
前記文字列が形成される背景のうち少なくとも一部が他の背景とは異なる
ことを特徴とする文字列形成体。
【請求項３】
前記少なくとも一部の文字は、濃度、大きさ、配置、字体、又は空間周波数が他の文字とは異なる
ことを特徴とする請求項１又は２に記載の文字列形成体。
【請求項４】
前記少なくとも一部の背景は、濃度、白と黒の割合を示す背景密度、模様、又は空間周波数が他の背景とは異なる
ことを特徴とする請求項１乃至３のいずれか１つに記載の文字列形成体。
【請求項５】
請求項１乃至４のいずれか１つに記載の文字列形成体と、
前記文字列形成体の表面に形成される偽造防止部と、
を備えることを特徴とするセキュリティ媒体。
【発明の詳細な説明】
【技術分野】
【０００１】
本発明は、視認性を調整した文字列が形成される文字列形成体に関するものである。
【背景技術】
【０００２】
従来からクレジットカード、キャッシュカード、又はＩＤカード等のカードにはエンボス加工又は印刷等でカード毎に固有の文字列が形成されている（特許文献１参照）。このような文字列は、身分を証明するために複写される場合があるので、隠すことができない。
【先行技術文献】
【特許文献】
【０００３】
【特許文献１】特開２００５−１５３４４５号公報
【発明の概要】
【発明が解決しようとする課題】
【０００４】
しかしながら、例えば、カード等の文字列は、盗み見されることについての対策は講じられていないものが多く、一見で盗み見され第三者に番号が知られた場合には、不正使用されるおそれがある。なお、液晶やＥＬ等のディスプレイ機能を搭載したディスプレイカードを使用すれば、必要時にのみ番号を表示させることができるが、高価になってしまう。
【０００５】
本発明は、安価で、特殊な器具を用いることなく容易に観察可能であると共に、複写可能であって、視認性を調整し、近距離からは的確に観察可能であるが遠距離からの盗み見は困難である文字列、又は、近距離であっても一見では盗み見は困難である文字列が形成される文字列形成体を提供する。
【課題を解決するための手段】
【０００６】
上記目的を達成する本発明にかかる文字列形成体は、
基材に文字列が形成された文字列形成体であって、
前記文字列のうち少なくとも一部の文字を他の文字とは異なるデザインとする
ことを特徴とする。
【０００７】
また、本発明にかかる文字列形成体は、
基材に文字列が形成された文字列形成体であって、
前記文字列が形成される背景のうち少なくとも一部が他の背景とは異なる
ことを特徴とする。
【０００８】
また、本発明にかかる文字列形成体は、
前記少なくとも一部の文字は、濃度、大きさ、配置、字体、又は空間周波数が他の文字とは異なる
ことを特徴とする。
【０００９】
また、本発明にかかる文字列形成体は、
前記少なくとも一部の背景は、濃度、白と黒の割合を示す背景密度、模様、又は空間周波数が他の背景とは異なる
ことを特徴とする。
【００１０】
また、本発明にかかるセキュリティ媒体は、
前記文字列形成体と、
前記文字列形成体の表面に形成される偽造防止部材と、
を備えることを特徴とする。
【発明の効果】
【００１１】
本発明にかかる文字列形成体によれば、安価で、特殊な器具を用いることなく容易に観察可能であると共に、複写可能であって、視認性を調整し、近距離からは的確に観察可能であるが遠距離からの盗み見を困難にする、又は、近距離であっても一見では盗み見を困難にすることが可能となる。
【図面の簡単な説明】
【００１２】
【図１】本実施形態の文字列形成体を示す。
【図２】本実施形態の文字列形成体に形成される第１実施形態の文字列を示す。
【図３】第１実施形態の文字列の他の例を示す。
【図４】本実施形態の文字列形成体１に形成される第２実施形態の文字列Ｌを示す。
【図５】第２実施形態の文字列Ｌの他の例を示す。
【図６】本実施形態の文字列形成体１に形成される第３実施形態の文字列Ｌを示す。
【図７】第３実施形態の文字列Ｌの他の例を示す。
【図８】本実施形態の文字列形成体１に形成される第４実施形態の文字列Ｌを示す。
【図９】第４実施形態の文字列Ｌの他の例を示す。
【図１０】本実施形態の文字列形成体１に形成される第５実施形態の文字列Ｌを示す。
【図１１】第５実施形態の文字列Ｌの他の例を示す。
【図１２】本実施形態の文字列形成体１の文字列及び背景の一部を異ならせた場合の実施例を示す。
【発明を実施するための形態】
【００１３】
以下、図面を参照にして本発明にかかる文字列形成体について説明する。
【００１４】
図１は、本実施形態の文字列形成体１を示す。
【００１５】
本実施形態の文字列形成体１は、クレジットカード、キャッシュカード、又はＩＤカード等のカード、商品券、銀行券、パスポート、諸証券等である。また、文字列形成体１は、基材に印刷等で文字列Ｌが形成される。基材としては、紙、プラスチック板等を用いることができ、特に限定されない。さらに、基材の外形形状、寸法等も特に限定されない。本実施形態の文字列Ｌは、第１セクションＬ１、第２セクションＬ２、第３セクションＬ３、及び第４セクションＬ４を有し、各セクションは、４つの数字からなる。ここで、「印刷」とは、インキにより文字列を形成する方法や、レーザーを用いて文字列を形成する方法等、公知の印刷方法を採用することができ、特に限定されない。
【００１６】
図１は文字列形成体１がカードである場合の一例を示している。なお、文字列Ｌの構成は、図１に示したものに限らない。例えば、セクションの数は制限なく、セクションを設けずに単に文字を並べただけでもよい。また、一つのセクションの文字数も制限なく、セクション毎に文字数を異ならせてもよい。さらに、文字の種類は、数字に限らず、アルファベット、漢字、ひらがな、又はカタカナ等でもよく、これらを組み合わせてもよい。
【００１７】
また、文字列形成体１の表面にホログラム等の偽造防止部を形成し、セキュリティ媒体を構成してもよい。
【００１８】
図２は、本実施形態の文字列形成体１に形成される第１実施形態の文字列Ｌを示す。図３は、第１実施形態の文字列Ｌの他の例を示す。
【００１９】
第１実施形態の文字列Ｌは、少なくとも一部の文字Ｌ３１〜Ｌ３４が他の文字Ｌ１１〜Ｌ１４，Ｌ２１〜Ｌ２４，Ｌ４１〜Ｌ４４とは異なるデザインで印字される。例えば、第１実施形態の文字列形成体１は、図２に示すように、少なくとも一部の文字Ｌ３１〜Ｌ３４を、他の文字Ｌ１１〜Ｌ１４，Ｌ２１〜Ｌ２４，Ｌ４１〜Ｌ４４よりも濃度を薄くしている。ここで、デザインとは、濃度だけでなく、大きさ、配置、字体、又は空間周波数等を含む。
【００２０】
なお、第１実施形態の文字列Ｌは、図２に示すように、第３セクションＬ３の文字の濃度を、他のセクションＬ１，Ｌ２，Ｌ４の文字の濃度よりも薄くしているが、セクション毎に異ならせる必要はなく、図３の第２セクションＬ２の文字Ｌ２３，Ｌ２４、第３セクションＬ３の文字Ｌ３１，Ｌ３２，Ｌ３４、及び第４セクションＬ４の文字Ｌ４２のように、文字毎に異ならせてもよい。
【００２１】
このように、第１実施形態の文字列形成体１の文字列Ｌによれば、少なくとも一部の文字Ｌ３１〜Ｌ３４を、他の文字Ｌ１１〜Ｌ１４，Ｌ２１〜Ｌ２４，Ｌ４１〜Ｌ４４よりも濃度を薄くすることによって、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００２２】
また、同様に、第１実施形態の文字列形成体１の文字列Ｌによれば、薄い文字とするので、例えば、インクジェット印刷の場合、印字の際に使用する材料の量を少なくすることができ、印字時間を短くすることが可能となり、レーザーエングレーブの場合、レーザーのスキャンスピードを早くすることができ、印字時間を短くすることが可能となる。
【００２３】
図４は、本実施形態の文字列形成体１に形成される第２実施形態の文字列Ｌを示す。図５は、第２実施形態の文字列Ｌの他の例を示す。
【００２４】
第２実施形態の文字列Ｌは、少なくとも一部の文字Ｌ３１〜Ｌ３４が他の文字Ｌ１１〜Ｌ１４，Ｌ２１〜Ｌ２４，Ｌ４１〜Ｌ４４とは異なるデザインで印字される。例えば、第２実施形態の文字列形成体１は、図４に示すように、少なくとも一部の文字Ｌ３１〜Ｌ３４のサイズを、他の文字Ｌ１１〜Ｌ１４，Ｌ２１〜Ｌ２４，Ｌ４１〜Ｌ４４のサイズよりも小さくしている。
【００２５】
なお、第２実施形態の文字列Ｌは、図４に示すように、第３セクションＬ３の文字のサイズを、他のセクションＬ１，Ｌ２，Ｌ４の文字のサイズよりも小さくしているが、セクション毎に異ならせる必要はなく、図５の第２セクションＬ２の文字Ｌ２３、第３セクションＬ３の文字Ｌ３３、及び第４セクションＬ４の文字Ｌ４１のように、文字毎に異ならせてもよい。
【００２６】
このように、第２実施形態の文字列形成体１の文字列Ｌによれば、少なくとも一部の文字Ｌ３１〜Ｌ３４を、他の文字Ｌ１１〜Ｌ１４，Ｌ２１〜Ｌ２４，Ｌ４１〜Ｌ４４よりも小さくすることによって、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００２７】
また、同様に、第２実施形態の文字列形成体１の文字列Ｌによれば、小さい文字とするので、例えば、インクジェット印刷の場合、印字の際に使用する材料の量を少なくすることができ、印字時間を短くすることが可能となり、レーザーエングレーブの場合、レーザーのスキャンスピードを早くすることができ、印字時間を短くすることが可能となる。
【００２８】
図６は、本実施形態の文字列形成体１に形成される第３実施形態の文字列Ｌを示す。図７は、第３実施形態の文字列Ｌの他の例を示す。
【００２９】
第３実施形態の文字列Ｌは、少なくとも一部の文字Ｌ３１〜Ｌ３４が他の文字Ｌ１１〜Ｌ１４，Ｌ２１〜Ｌ２４，Ｌ４１〜Ｌ４４とは異なるデザインで印字される。例えば、第３実施形態の文字列形成体１は、図６に示すように、少なくとも一部の文字Ｌ３１〜Ｌ３４のサイズを、他の文字Ｌ１１〜Ｌ１４，Ｌ２１〜Ｌ２４，Ｌ４１〜Ｌ４４のサイズよりも小さくする。また、第３実施形態の文字列形成体１は、図６に示すように、少なくとも一部の文字Ｌ３１〜Ｌ３４の位置を、他の文字Ｌ１１〜Ｌ１４，Ｌ２１〜Ｌ２４，Ｌ４１〜Ｌ４４の位置と比較して上下にずらす。さらに、第３実施形態の文字列形成体１は、図６に示すように、少なくとも一部の文字Ｌ３４を回転させる。
【００３０】
なお、第３実施形態の文字列Ｌは、図６に示すように、第３セクションＬ３の文字のサイズ及び位置を、他のセクションＬ１，Ｌ２，Ｌ４の文字のサイズ及び位置と異ならせているが、セクション毎に異ならせる必要はなく、図７の第２セクションＬ２の文字Ｌ２４、第３セクションＬ３の文字Ｌ３１，Ｌ３３，Ｌ３４、及び第４セクションＬ４の文字Ｌ４２のように、文字毎に異ならせればよい。
【００３１】
このように、第３実施形態の文字列形成体１の文字列Ｌによれば、少なくとも一部の文字Ｌ３１〜Ｌ３４を、他の文字Ｌ１１〜Ｌ１４，Ｌ２１〜Ｌ２４，Ｌ４１〜Ｌ４４よりも小さく、且つ、位置をずらすことによって、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００３２】
また、同様に、第３実施形態の文字列形成体１の文字列Ｌによれば、小さい文字とするので、例えば、インクジェット印刷の場合、印字の際に使用する材料の量を少なくすることができ、印字時間を短くすることが可能となり、レーザーエングレーブの場合、レーザーのスキャンスピードを早くすることができ、印字時間を短くすることが可能となる。
【００３３】
図８は、本実施形態の文字列形成体１に形成される第４実施形態の文字列Ｌを示す。図９は、第４実施形態の文字列Ｌの他の例を示す。
【００３４】
第４実施形態の文字列Ｌは、少なくとも一部の文字Ｌ３１〜Ｌ３４の背景Ｂ３が他の文字Ｌ１１〜Ｌ１４，Ｌ２１〜Ｌ２４，Ｌ４１〜Ｌ４４の背景Ｂ１，Ｂ２，Ｂ４とは異なるように印字される。例えば、第４実施形態の文字列形成体１は、図８に示すように、少なくとも一部の文字Ｌ３１〜Ｌ３４の背景Ｂ３を、他の文字Ｌ１１〜Ｌ１４，Ｌ２１〜Ｌ２４，Ｌ４１〜Ｌ４４の背景Ｂ１，Ｂ２，Ｂ４と異ならせる。また、第４実施形態の文字列形成体１は、図８に示すように、少なくとも一部の文字Ｌ３１〜Ｌ３４の背景Ｂ３を、他の文字Ｌ１１〜Ｌ１４，Ｌ２１〜Ｌ２４，Ｌ４１〜Ｌ４４の背景Ｂ１，Ｂ２，Ｂ４よりも濃くしている。ここで、本実施形態の「背景」とは、文字以外の領域をいい、例えば、０、４、６、８といった文字によって閉じられた領域Ｂ３３、Ｂ３４も背景に含まれる。
【００３５】
なお、第４実施形態の文字列Ｌは、図８に示すように、第３セクションＬ３の背景Ｂ３を、他のセクションＬ１，Ｌ２，Ｌ４の背景Ｂ１，Ｂ２，Ｂ４と異ならせているが、セク
ション毎に異ならせる必要はなく、図９の第２セクションＬ２の文字Ｌ２３の背景Ｂ２３、第３セクションＬ３の文字Ｌ３１，Ｌ３２の背景Ｂ３１，Ｂ３２、及び第４セクションＬ４の文字Ｌ４１，Ｌ４２の一部の背景Ｂ４１，Ｂ４２のように、文字毎又は文字の一部を異ならせればよい。
【００３６】
また、文字列Ｌは、少なくとも一部の文字の背景の色を、他の文字の背景の色と異ならせる構成でもよい。文字と背景の色が同系色の場合、文字を認識しづらくなり、文字と背景の色が同系色でない場合、文字を認識しやすくなる。
【００３７】
背景と文字を作製する方法は、予め背景を印刷しておき、後から文字を入れる方法と、背景と文字を同時に印刷する方法と、がある。背景と文字を同時に印刷する方法では、背景よりも文字を薄く印字することが可能である。
【００３８】
このように、第４実施形態の文字列形成体１の文字列Ｌによれば、少なくとも一部の文字Ｌ３１〜Ｌ３４の背景Ｂ３を、他の文字Ｌ１１〜Ｌ１４，Ｌ２１〜Ｌ２４，Ｌ４１〜Ｌ４４の背景Ｂ１，Ｂ２，Ｂ４よりも濃くすることによって、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００３９】
図１０は、本実施形態の文字列形成体１に形成される第５実施形態の文字列Ｌを示す。図１１は、第５実施形態の文字列Ｌの他の例を示す。
【００４０】
第５実施形態の文字列Ｌは、少なくとも一部の文字Ｌ３１〜Ｌ３４及び背景Ｂ３の一部が他の文字Ｌ１１〜Ｌ１４，Ｌ２１〜Ｌ２４，Ｌ４１〜Ｌ４４及び背景Ｂ１，Ｂ２，Ｂ４とは異なるように印字される。例えば、第５実施形態の文字列形成体１は、図１０に示すように、少なくとも一部の文字Ｌ３１〜Ｌ３４及び背景Ｂ３の一部を、他の文字Ｌ１１〜Ｌ１４，Ｌ２１〜Ｌ２４，Ｌ４１〜Ｌ４４及び背景Ｂ１，Ｂ２，Ｂ４と異ならせる。また、第５実施形態の文字列形成体１は、図１０に示すように、少なくとも一部の文字Ｌ３１〜Ｌ３４及び背景Ｂ３を、他の文字Ｌ１１〜Ｌ１４，Ｌ２１〜Ｌ２４，Ｌ４１〜Ｌ４４及び背景Ｂ１，Ｂ２，Ｂ４に対して反転させている。
【００４１】
なお、第５実施形態の文字列Ｌは、図１０に示すように、第３セクションＬ３の背景Ｂ３を、他のセクションＬ１，Ｌ２，Ｌ４の背景Ｂ１，Ｂ２，Ｂ４と異ならせているが、セクション毎に異ならせる必要はなく、図１１の第２セクションＬ２の文字Ｌ２３及び背景Ｂ２３の一部、第３セクションＬ３の文字Ｌ３１，Ｌ３２及び背景Ｂ３１，Ｂ３２の一部、及び第４セクションＬ４の文字Ｌ４１及び背景Ｂ４１の一部のように、文字毎又は文字の一部を異ならせればよい。
【００４２】
このように、第５実施形態の文字列形成体１の文字列Ｌによれば、少なくとも一部の文字Ｌ３１〜Ｌ３４の背景Ｂ３を、他の文字Ｌ１１〜Ｌ１４，Ｌ２１〜Ｌ２４，Ｌ４１〜Ｌ４４及び背景Ｂ１，Ｂ２，Ｂ４と異ならせていることによって、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００４３】
次に、本実施形態の文字列形成体１の背景及び文字列の実施例について説明する。
【００４４】
図１２は、本実施形態の文字列形成体１の文字列及び背景の一部を異ならせた場合の実施例を示す。
【００４５】
図１２に示す実施例は、文字列として、0-(1)〜0-(4)を用い、1〜9の様々な背景と重ねたものである。文字列は、(1)から(4)へ順に濃度を変更している。
【００４６】
図１２に示すように、背景と文字の組み合わせによって、近距離では文字を判別できるが、遠距離になると文字を判別できないように設定することが可能となる。
【００４７】
なお、少なくとも一部の背景は、濃度、白と黒の割合を示す背景密度、模様の細かさを示す背景の細かさ、又は空間周波数等を、他の部分と異ならせればよい。また、少なくとも一部の文字は、濃度、大きさ、配置、字体、又は空間周波数等を、他の部分と異ならせればよい。
【００４８】
以上、本実施形態の文字列形成体１によれば、基材に文字列Ｌが形成された文字列形成体１であって、文字列Ｌのうち少なくとも一部の文字を他の文字とは異なるデザインとするので、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００４９】
また、本実施形態の文字列形成体１によれば、基材に文字列Ｌが形成された文字列形成体１であって、文字列Ｌが形成される背景のうち少なくとも一部が他の背景とは異なるので、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能となる。
【００５０】
また、本実施形態の文字列形成体１によれば、少なくとも一部の文字は、濃度、大きさ、配置、字体、又は空間周波数が他の文字とは異なるので、簡単にデザインを変更することができ、作製することが可能となる。
【００５１】
また、本実施形態の文字列形成体１によれば、少なくとも一部の背景は、濃度、白と黒の割合を示す背景密度、模様、又は空間周波数が他の背景とは異なるので、簡単に背景を変更することが可能となる。
【００５２】
また、本実施形態のセキュリティ媒体１０によれば、文字列形成体１と、文字列形成体１の表面に形成される偽造防止部Ｈと、を備えるので、安価で、特殊な器具を用いることなく容易に観察可能であると共に、複写可能であって、視認性を調整し、近距離からは的確に観察可能であって、遠距離からの盗み見を困難にする、又は、近距離であっても一見では盗み見を困難にすることが可能であり、且つ、偽造を困難にすることが可能となる。
【００５３】
なお、文字列形成体１をいくつかの実施例に基づいて説明してきたが、本発明はこれら実施例に限定されず種々の組み合わせ又は変形が可能である。
【符号の説明】
【００５４】
１…文字列形成体
１０…セキュリティ媒体
【図１】
2016215510.tif 000003
【図２】
2016215510.tif 000004
【図３】
2016215510.tif 000005
【図４】
2016215510.tif 000006
【図５】
2016215510.tif 000007
【図６】
2016215510.tif 000008
【図７】
2016215510.tif 000009
【図８】
2016215510.tif 000010
【図９】
2016215510.tif 000011
【図１０】
2016215510.tif 000012
【図１１】
2016215510.tif 000013
【図１２】
2016215510.tif 000014